【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
ａ）芳香族カルボン酸、芳香族スルホン酸、ペルフルオロアルカンスルホン酸、リン含有オキソ酸、ＮＨ−酸性スルホンアミド、ＮＨ−酸性スルホンイミド及び複合フルオロ酸からなる群から選択される酸の塩の少なくとも１種、
ｂ1）式
【化１】
2009504862.tif 000001
｛式中、
Ｒ1及びＲ2は、互いに独立して、フッ素原子で置換された脂肪族基を表わし、
Ｘ1及びＸ2は、互いに独立して、直接結合又は炭素原子数１ないし１２のアルキレン基を表わし、
ｍは、１ないし１００００の数を表わし、
Ｒ5、Ｒ6、Ｒ7及びＲ8は、互いに独立して、水素原子、炭素原子数１ないし１２のアルキル基又は炭素原子数３ないし１２のアルケニル基を表わし、及び
Ｙは、直接結合又は−Ｏ−、−Ｓ−、−ＳＯ−、−ＳＯ2−、
【化２】
2009504862.tif 000002
［式中、
Ｒa及びＲbの両方が、水素原子又はハロゲン原子を表わすか、又は、
Ｒa及びＲbの一方は水素原子を表わし、かつ他方はハロゲン原子を表わす。］、
【化３】
2009504862.tif 000003
［式中、
Ｒ3及びＲ4は、それらが結合する炭素原子と一緒になって、任意の置換基として炭素原子数１ないし４のアルキル基を１ないし３つ有する炭素原子数５ないし８のシクロアルキリデン基を表わすか、又は、
Ｒ3及びＲ4は、互いに独立して、水素原子、フッ素原子で置換された脂肪族基、炭素原子数１ないし１２のアルキル基、カルボキシ基で置換された炭素原子数１ないし１２のアルキル基、炭素原子数２ないし１２のアルケニル基、アリール基又は部分式
【化４】
2009504862.tif 000004
（式中、
ｎは、０ないし１００００の数を表わし、及び
Ｘ2、Ｙ、Ｒ2、Ｒ5、Ｒ6、Ｒ7及びＲ8は、上記で定義した通りである。）で表わされる基を表わす。］からなる群から選択される２価の基を表わす。｝で表わされる少なくとも１種の化合物、及び
ｃ）ポリカーボネート又はポリカーボネートブレンドを含むポリマー基材
を含む組成物。
【請求項２】
ａ）芳香族カルボン酸、芳香族スルホン酸、ペルフルオロアルカンスルホン酸、リン含有オキソ酸、ＮＨ−酸性スルホンアミド、ＮＨ−酸性スルホンイミド及び複合フルオロ酸からなる群から選択される酸の塩の少なくとも１種、
ｂ2）式
【化５】
2009504862.tif 000005
（式中、
Ｒ0は、直接結合又は
【化６】
2009504862.tif 000006
、−Ｏ−、−Ｓ−、−ＳＯ−、−ＳＯ2−及び
【化７】
2009504862.tif 000007
からなる群から選択される２価の基を表わし、
Ｒ1及びＲ2は、互いに独立して、シリコン含有基を表わし、
Ｒ3及びＲ4は、互いに独立して、水素原子、フッ素原子で置換された脂肪族基、シリコン含有基、炭素原子数１ないし１２のアルキル基、カルボキシ基で置換された炭素原子数１ないし１２のアルキル基、炭素原子数２ないし１２のアルケニル基、アリール基又は部分式
【化８】
2009504862.tif 000008
で表わされる基を表わすか、又は、
Ｒ3及びＲ4は、それらが結合する炭素原子と一緒になって、炭素原子数５ないし８のシクロアルキリデン基又は炭素原子数１ないし４のアルキル基１ないし３つで置換された炭素原子数５ないし８のシクロアルキリデン基を表わし、
Ｒ5、Ｒ6、Ｒ7及びＲ8は、互いに独立して、水素原子、炭素原子数１ないし１２のアルキル基又は炭素原子数３ないし１２のアルケニル基を表わし、
Ｘ1及びＸ2は、互いに独立して、直接結合、炭素原子数１ないし１２のアルキレン基又は−Ｏ−によって中断された炭素原子数４ないし２５のアルキレン基を表わし、
Ｙ1及びＹ2は、互いに独立して、直接結合又は−Ｏ−、
【化９】
2009504862.tif 000009
からなる群から選択される２価の基を表わし、
Ｒ9及びＲ10は、互いに独立して、直接結合又は炭素原子数１ないし４のアルキレン基を
表わし、
Ｒ11、Ｒ12及びＲ13は、互いに独立して、水素原子、炭素原子数１ないし１２のアルキル基又は炭素原子数３ないし１２のアルケニル基を表わし、
Ｒ14は、水素原子、炭素原子数１ないし１２のアルキル基又はシリコン含有基を表わし、ｍは、０ないし１００００の数を表わし、及び
ｎは、０ないし１００００の数を表わす。）で表わされる少なくとも１種の化合物、及びｃ）ポリカーボネート又はポリカーボネートブレンドを含むポリマー基材
を含む組成物、特に難燃性組成物。
【請求項３】
成分ａ）として、ペルフルオロブタンスルホン酸ナトリウム又はカリウムを含む請求項１又は２に記載の難燃性組成物。
【請求項４】
成分ｂ1）として、式
【化１０】
2009504862.tif 000010
［式中、
Ｒ1及びＲ2は、フッ素原子で置換された脂肪族基を表わし、
Ｘ1及びＸ2は、互いに独立して、直接結合又は炭素原子数１ないし１２のアルキレン基を表わし、
ｍは、１ないし１０００の数を表わし、及び
Ｒ3及びＲ4は、それらが結合する炭素原子と一緒になって、任意の置換基として炭素原子数１ないし４のアルキル基を１ないし３つ有する炭素原子数５ないし８のシクロアルキリデン基を表わすか、又は、
Ｒ3及びＲ4は、互いに独立して、水素原子、フッ素原子で置換された脂肪族基、炭素原子数１ないし１２のアルキル基、炭素原子数２ないし１２のアルケニル基、フェニル基又は部分式
【化１１】
2009504862.tif 000011
（式中、
ｎは、１ないし１０００の数を表わし、及び
Ｒ3、Ｒ4、Ｘ2及びＲ2は、上記で定義した通りである。）で表わされる基を表わす。］で表わされる少なくとも１種の化合物を含む請求項１に記載の難燃性組成物。
【請求項５】
ａ）少なくとも１種のペルフルオロブタンスルホン酸ナトリウム又はカリウム、
ｂ1）少なくとも１種の式（Ｉ'）
【化１２】
2009504862.tif 000012
（式中、
Ｘ1及びＸ2は、エチレン基を表わし、
Ｒ1及びＲ2は、式（Ｂ）
−（ＣＦ２）p−Ｆ    （Ｂ）
（式中、ｐは、１ないし５０の数を表わす。）で表わされる基を表わし、
ｍは、２ないし５０の数を表わし、及び、
Ｒ3及びＲ4は、互いに独立して、水素原子又は炭素原子数１ないし４のアルキル基を表わすか、又はそれらが結合する炭素原子と一緒になって、シクロヘキシリデン基を形成する。）で表わされる化合物、及び
ｃ）ポリカーボネート又はポリカーボネートブレンドを含むポリマー基材
を含む請求項１に記載の組成物。
【請求項６】
ａ）少なくとも１種のペルフルオロブタンスルホン酸ナトリウム又はカリウム、
ｂ1）少なくとも１種の式（ＩＩ）
［式中、
Ｒ0は、式
【化１３】
2009504862.tif 000013
（式中、
Ｒ3及びＲ4は、互いに独立して、炭素原子数１ないし４のアルキル基を表わすか、又は、Ｒ3及びＲ4は、それらが結合する炭素原子と一緒になって、シクロヘキシリデン基を形成する。）で表わされる２価の基を表わし、
Ｒ5、Ｒ6、Ｒ7及びＲ8は、水素原子を表わし、
Ｘ1及びＸ2は、互いに独立して、炭素原子数２ないし４のアルキレン基又は−Ｏ−によって中断された炭素原子数４ないし２５のアルキレン基を表わし、
Ｙ1及びＹ2は、互いに独立して、直接結合又は−Ｏ−、
【化１４】
2009504862.tif 000014
（式中、Ｒ9及びＲ10は、互いに独立して、直接結合又はメチレン基を表わす。）からな
る群から選択される２価の基を表わし、
ｍは、０ないし１００を表わし、及び
ｎは、０ないし１００を表わす。］で表わされる化合物、及び
ｃ）ポリカーボネート又はポリカーボネートブレンドを含むポリマー基材
を含む請求項２に記載の組成物。